(57)【要約】【課題】本発明は、水中撮影モードを設定可能な撮影装置に於いて、水中以外の使用環境に於ける使い勝手を低下させないようにした撮影装置を提供することである。【解決手段】水中撮影モードを含む複数の撮影モードを選択的に設定可能カメラ１０に於いて、カメラ１０に水中ハウジング２２が装着されているか否かが収納検知部材１７によって検出される。そして、収納検知回路４７及びシステム制御回路４５によって、カメラ１０が水中ハウジング２２に収納されていると判定された場合に、システム制御回路４５にて、交換レンズ内のデータ出力回路５３に基づいて複数の水中撮影モードのうちの１つが選択され、ここで選択された水中撮影モードに対応した撮影条件で撮影動作が制御される。【選択図】      図３
2006243659.tif 000002
【特許請求の範囲】
【請求項１】
水中ハウジングに収納した状態で水中撮影が可能な撮影装置に於いて、
交換可能な撮影レンズと、
上記撮影レンズからレンズデータを読み出す読み出し手段と、
上記撮影装置の本体が上記水中ハウジングに収納されているか否かを判定する判定手段と、
上記判定手段によって上記水中ハウジングに収納されていると判定された場合には、上記レンズデータに基づいて複数の水中撮影モードのうちの１つを選択する選択手段と、
上記選択手段で選択された水中撮影モードに対応した撮影条件で撮影動作を制御する制御手段と、
を具備することを特徴とする撮影装置。
【請求項２】
上記判定手段は、上記撮影装置が上記水中ハウジングに収納されていることを検知する検知部材を含むことを特徴とする請求項１に記載の撮影装置。
【請求項３】
上記レンズデータは、上記撮影レンズの焦点距離のデータ、種類のデータ、最大撮影倍率のデータ及び最短撮影距離のデータの何れかであることを特徴とする請求項１に記載の撮影装置。
【請求項４】
更に、フラッシュ装置を含み、
上記水中撮影モードが設定された場合には、上記フラッシュ装置を強制的に発光させることを特徴とする請求項１に記載の撮影装置。
【請求項５】
更に、上記撮影レンズの種類を判別するレンズ判別手段を具備し、
上記レンズ判別手段で判別された撮影レンズの種類がワイドレンズの場合は露出をアンダーに設定することを特徴とする請求項１に記載の撮影装置。
【請求項６】
上記レンズ判別手段で判別された撮影レンズの種類が、水中で１６５度以上の画角を有するフィッシュアイレンズの場合は、上記ワイドレンズの場合の露出より更にアンダーに露出を設定することを特徴とする請求項５に記載の撮影装置。
【請求項７】
撮影レンズと、該撮影レンズ固有の特性を表すレンズデータを出力するデータ出力回路と、を有する交換可能なレンズユニットと、
上記レンズユニットを装着可能な撮影装置本体と、
水中撮影が可能なように上記撮影装置本体を内部に収納する水中ハウジングと、
上記撮影装置本体が上記水中ハウジングに収納されているか否かを判定する判定手段と、
上記判定手段によって上記水中ハウジングに収納されていると判定された場合には、上記レンズデータに基づいて複数の水中撮影モードのうちの１つを選択する選択手段と、
上記選択手段で選択された水中撮影モードに対応した撮影条件で撮影動作を制御する制御手段と、
を具備することを特徴とする撮影装置。
【請求項８】
上記判定手段は、上記撮影装置が上記水中ハウジングに収納されていることを検知する検知部材を含むことを特徴とする請求項７に記載の撮影装置。
【請求項９】
上記レンズデータは、上記撮影レンズの焦点距離のデータ、種類のデータ、最大撮影倍率のデータ及び最短撮影距離のデータの少なくとも１つを含むことを特徴とする請求項７に記載の撮影装置。
【請求項１０】
更に、フラッシュ装置を含み、
上記制御手段は、上記水中撮影モードが設定された場合には、上記フラッシュ装置を強制的に発光させることを特徴とする請求項７に記載の撮影装置。
【請求項１１】
更に、上記レンズユニットの種類を判別するレンズ判別手段を具備し、
上記制御手段は、上記レンズ判別手段で判別された撮影レンズの種類がワイドレンズの場合は露出をアンダーに設定することを特徴とする請求項７に記載の撮影装置。
【請求項１２】
上記制御手段は、上記レンズ判別手段で判別された撮影レンズの種類が、水中で１６５度以上の画角を有するフィッシュアイレンズの場合は、上記ワイドレンズの場合の露出より更にアンダーに露出を設定することを特徴とする請求項１１に記載の撮影装置。
【発明の詳細な説明】
【技術分野】
【０００１】
本発明は撮影装置に関し、より詳細には、水中ハウジング（防水ケース）に収納した状態で水中撮影が可能なデジタルカメラやビデオカメラ等の撮影装置に関するものである。
【背景技術】
【０００２】
デジタルカメラやビデオカメラ等の周辺アクセサリとして、カメラ本体を収納して水中撮影を可能にする水中ハウジング（防水ケース）が種々提案されている（例えば、特許文献１参照）。
【０００３】
また、ポートレートや花（接写）、風景、スポーツ等の複数の撮影シーンに対応する複数の撮影モードを有していて、ユーザがその中の何れかを選択した場合に、その撮影シーンに最適な撮影条件を自動的に設定する機能を有するカメラが種々提案されている（例えば、特許文献２参照）。
【特許文献１】特開平１０−３３３２３３号公報
【特許文献２】特開平５−１４２６１７号公報
【発明の開示】
【発明が解決しようとする課題】
【０００４】
しかしながら、カメラに選択可能な撮影シーンが多く設けられると、逆にユーザが使い難くなるという課題も有している。例えば、水中ハウジングを装着して撮影する水中撮影モードは、地上での撮影時には不要なモードである。したがって、選択対象の中にこの水中撮影モードが含まれていると、かえって煩わしく感じてしまうものであった。
【０００５】
また、交換可能なレンズが装着される一眼レフレックスタイプのカメラ（以下、一眼レフカメラと略記する）の場合、交換レンズの種類や焦点距離等が異なるものであっても、水中ハウジングを装着すると交換レンズの種類に応じた水中撮影モードを選択することはできないものであった。
【０００６】
本発明は、水中撮影モードを設定可能な撮影装置に於いて、水中以外の使用環境に於ける使い勝手を低下させないようにすると共に、交換レンズの種類に応じて水中撮影モードを選択することのできる撮影装置を提供することを目的とする。
【課題を解決するための手段】
【０００７】
すなわち請求項１に記載の発明は、水中ハウジングに収納した状態で水中撮影が可能な撮影装置に於いて、交換可能な撮影レンズと、上記撮影レンズからレンズデータを読み出す読み出し手段と、上記撮影装置の本体が上記水中ハウジングに収納されているか否かを判定する判定手段と、上記判定手段によって上記水中ハウジングに収納されていると判定された場合には、上記レンズデータに基づいて複数の水中撮影モードのうちの１つを選択する選択手段と、上記選択手段で選択された水中撮影モードに対応した撮影条件で撮影動作を制御する制御手段と、を具備することを特徴とする。
【０００８】
請求項２に記載の発明は、請求項１に記載の発明に於いて、上記判定手段は、上記撮影装置が上記水中ハウジングに収納されていることを検知する検知部材を含むことを特徴とする。
【０００９】
請求項３に記載の発明は、請求項１に記載の発明に於いて、上記レンズデータは、上記撮影レンズの焦点距離のデータ、種類のデータ、最大撮影倍率のデータ及び最短撮影距離のデータの何れかであることを特徴とする。
【００１０】
請求項４に記載の発明は、請求項１に記載の発明に於いて、更に、フラッシュ装置を含み、上記水中撮影モードが設定された場合には、上記フラッシュ装置を強制的に発光させることを特徴とする。
【００１１】
請求項５に記載の発明は、請求項１に記載の発明に於いて、更に、上記撮影レンズの種類を判別するレンズ判別手段を具備し、上記レンズ判別手段で判別された撮影レンズの種類がワイドレンズの場合は露出をアンダーに設定することを特徴とする。
【００１２】
請求項６に記載の発明は、請求項５に記載の発明に於いて、上記レンズ判別手段で判別された撮影レンズの種類が、水中で１６５度以上の画角を有するフィッシュアイレンズの場合は、上記ワイドレンズの場合の露出より更にアンダーに露出を設定することを特徴とする。
【００１３】
請求項７に記載の発明は、撮影レンズと、該撮影レンズ固有の特性を表すレンズデータを出力するデータ出力回路と、を有する交換可能なレンズユニットと、上記レンズユニットを装着可能な撮影装置本体と、水中撮影が可能なように上記撮影装置本体を内部に収納する水中ハウジングと、上記撮影装置本体が上記水中ハウジングに収納されているか否かを判定する判定手段と、上記判定手段によって上記水中ハウジングに収納されていると判定された場合には、上記レンズデータに基づいて複数の水中撮影モードのうちの１つを選択する選択手段と、上記選択手段で選択された水中撮影モードに対応した撮影条件で撮影動作を制御する制御手段と、を具備することを特徴とする。
【００１４】
請求項８に記載の発明は、請求項７に記載の発明に於いて、上記判定手段は、上記撮影装置が上記水中ハウジングに収納されていることを検知する検知部材を含むことを特徴とする。
【００１５】
請求項９に記載の発明は、請求項７に記載の発明に於いて、上記レンズデータは、上記撮影レンズの焦点距離のデータ、種類のデータ、最大撮影倍率のデータ及び最短撮影距離のデータの少なくとも１つを含むことを特徴とする。
【００１６】
請求項１０に記載の発明は、請求項７に記載の発明に於いて、更に、フラッシュ装置を含み、上記制御手段は、上記水中撮影モードが設定された場合には、上記フラッシュ装置を強制的に発光させることを特徴とする。
【００１７】
請求項１１に記載の発明は、請求項７に記載の発明に於いて、更に、上記レンズユニットの種類を判別するレンズ判別手段を具備し、上記制御手段は、上記レンズ判別手段で判別された撮影レンズの種類がワイドレンズの場合は露出をアンダーに設定することを特徴とする。
【００１８】
請求項１２に記載の発明は、請求項１１に記載の発明に於いて、上記制御手段は、上記レンズ判別手段で判別された撮影レンズの種類が、水中で１６５度以上の画角を有するフィッシュアイレンズの場合は、上記ワイドレンズの場合の露出より更にアンダーに露出を設定することを特徴とする。
【発明の効果】
【００１９】
本発明によれば、水中撮影モードを設定可能な撮影装置に於いて、水中以外の使用環境に於ける使い勝手を低下させないようにすると共に、交換レンズの種類に応じて水中撮影モードを選択することのできる撮影装置を提供することができる。
【発明を実施するための最良の形態】
【００２０】
以下、図面を参照して本発明に係る撮影装置の実施形態を説明する。
【００２１】
（第１の実施形態）
図１は、本発明の第１の実施形態による撮影装置としての一眼レフカメラの外観構成を示すもので、（ａ）は上面図、（ｂ）は正面図、（ｃ）は背面図である。
【００２２】
図１に於いて、このカメラ１０はカメラボディ１１と、該カメラボディ１１の前面部に装着された交換可能な撮影レンズ（交換レンズ）１２とを有して成る。上記カメラボディ１１の上面部には、該カメラ１０のシャッタレリーズスイッチに対応したレリーズ釦１３と、少なくとも水中撮影モードを含む各種撮影モードを設定するためのモードダイヤル１４及び電源スイッチ１５と、図示されない外部のフラッシュ装置を取り付けて電気的に接続するためのフラッシュ接続部１９とが設けられている。
【００２３】
また、カメラボディ１１の背面部には、第１の手動操作部材であるＯＫ釦１６ａと第２の手動操作部材である十字キー１６ｂ、１６ｃ、１６ｄ、１６ｅから成る操作部（選択手段）１６と、収納検知部材１７と、液晶モニタ１８とが設けられている。
【００２４】
上記ＯＫ釦１６ａは、上記モードダイヤル１４で設定された各種モードを確定するための釦である。このＯＫ釦１６ａの周囲に配置されている十字キー１６ｂ〜１６ｅは、液晶モニタ１８に表示される図示されないメニュー画面等を操作する際にカーソルを上下左右方向に移動させるためのキーである。
【００２５】
また、収納検知部材１７は、このカメラ１０に後述するハウジングが装着されたか否かを検出するための釦である。この収納検知部材１７が押された場合はハウジングが装着された状態であり、押されていない場合はハウジングが装着されていない状態となる。更に、液晶モニタ１８は、被写体の画像を表示したり、上述したメニュー等を表示したりするための画面である。
【００２６】
図２は、図１の構成のカメラ１０に装着される水中撮影用のカメラ防水ハウジング２２及びフラッシュ防水ハウジング３５の構成を示す外観斜視図である。
【００２７】
図２に於いて、カメラ防水ハウジング２２は本体用のカメラ防水ハウジング（本体）２２ａ及び本体背面の蓋となるカメラ防水ハウジング（蓋）２２ｂとから構成される。また、上記カメラ防水ハウジング２２ａ内に、図２には示されないがカメラ１０を装填した後、カメラ防水ハウジング２２ｂを被せるようにして装着する。その後、図示されない取り付け部材により、カメラ防水ハウジング２２ａと２２ｂが密閉される。このようにして、ハウジング２２内に水等が浸入しないような防水構造や耐圧構造がとられている。
【００２８】
そして、上記カメラ防水ハウジング２２ａの前面部には、交換レンズ１２専用のレンズ防水ハウジング３０が装着される。このレンズ防水ハウジング３０とカメラ防水ハウジング２２ａの装着は、カメラ防水ハウジング２２ａにレンズ防水ハウジング３０を被せるようにして装着する。その後、図示されない取り付け部材により、レンズ防水ハウジング３０とカメラ防水ハウジング２２ａとが密閉される。
【００２９】
上記カメラ防水ハウジング２２ａの外面には、カメラ１０のレリーズ釦１３に対応したシャッタ釦操作スイッチ２４と、モードダイヤル１４に対応したモードダイヤル操作ノブ２５をはじめとした各種操作部が設けられている。上記シャッタ釦操作スイッチ２４は上記レリーズ釦１３と係合してオン、オフされるもので、このシャッタ釦操作スイッチ２４がオンされることにより、レリーズ釦１３を介して撮影動作が行われるようになっている。同様に、モードダイヤル操作ノブ２５は上記モードダイヤル１４と係合して操作されるもので、このモードダイヤル操作ノブ２５が操作されることによって、各種のモードに対応した撮影シーンの設定が可能になる。
【００３０】
また、カメラ防水ハウジング２２ａの外面には、カメラ１０のフラッシュ接続部１９に電気的に接続するためのコネクタケーブル３２の一端が装着可能となっている。そして、このコネクタケーブル３２の他端はフラッシュ防水ハウジングに装着可能となっている。これにより、コネクタケーブル３２を介して、図示されないカメラとフラッシュ装置が電気的に接続される。
【００３１】
尚、フラッシュ防水ハウジング３５は、図示されないブラケットにより、カメラ防水ハウジング２２ａに装着可能となっている。
【００３２】
一方、カメラ防水ハウジング２２ｂの外面には、カメラ１０の操作部１６及び液晶モニタ１８に対応して、操作部２６及び窓部２８が設けられている。操作部２６は、上述したカメラ１０の各釦及びキーに対応している。すなわち、ＯＫ釦２６ａはＯＫ釦１６ａに対応し、十字釦２６ｂ、２６ｃ、２６ｄ、２６ｅは、それぞれ十字キー１６ｂ、１６ｃ、１６ｄ、１６ｅに対応している。これら操作部２６の各釦２６ａ及び２６ｂ〜２６ｅが押されることによって、上記ＯＫ釦１６及び十字キー１６ｂ〜１６ｅが操作される。
【００３３】
また、窓部２８は、液晶モニタ１８に対応して設けられているもので、画面表示が拡大されるように、レンズ形状に形成されている。
【００３４】
更に、カメラ防水ハウジング２２ｂの内面側には、カメラ１０の背面部に設けられた収納検知部材１７と対応する位置に検出用のハウジング側凸部２７が設けられている。このハウジング側凸部２７が上記収納検知部材１７を押し込むことにより、カメラ１０にハウジング２１が装着されたことが検出されるようになっている。
【００３５】
図３（ａ）は、本実施形態で水中撮影用のハウジングが装着されるカメラ交換レンズ及びフラッシュ装置の構成を概略的に示すブロック図である。
【００３６】
図３（ａ）に於いて、このカメラボディ１１は、後述する交換レンズＡ（以下、交換レンズ（Ａ）と記す）１２ａを介して被写体の像を取り込むシャッタ４１と取り込んだ被写体像を光電変換する撮像素子４２と、信号処理回路４３と、システム制御回路４５と、手動操作部材４６と、収納検知回路４７と、液晶（ＴＦＴ）モニタ４８と、記録媒体４９等を有して構成される。
【００３７】
上記信号処理回路４３は上記撮像素子４２で取り込まれた画像に信号処理を施す画像処理手段であり、システム制御回路４５は、このカメラ全体の制御を司るもので、読み出し手段、判定手段、選択手段、レンズ判別手段及び制御手段の機能を有している。また、上記手動操作部材４６は、上述したレリーズ釦１３やＯＫ釦１６ａ及び十字キー１６ｂ〜１６ｅ等で構成される。更に、収納検知回路４７は、上述した収納検知部材１７に対応しているもので、収納検知部材１７の状態に応じてカメラ防水ハウジングが装着されたか否かを検知してシステム制御回路４５に信号を出力する。
【００３８】
このカメラボディ１１の前面部には、交換レンズ（Ａ）１２ａが装着されている。この交換レンズ（Ａ）１２ａは、図示されない被写体からの光束を上記撮像素子４２に導くための、複数のレンズより成る撮影レンズ５１と、露出制御用の絞り５２と、この交換レンズ（Ａ）のレンズ特性データ等をシステム制御回路４５に出力するためのデータ出力回路５３とを有して構成されている。このデータ出力回路５３は、通信コネクタ等を介して、カメラボディ１１内のシステム制御回路４５と電気的に接続される。尚、本実施形態に於いては、交換レンズ（Ａ）を標準レンズとする。
【００３９】
また、フラッシュ装置３６は、閃光発光を行う閃光発光管（キセノン管）３７と、このキセノン管３７の発光を制御するための発光制御回路３８とを有して構成される。尚、このフラッシュ装置３６内の発光制御回路３８は、コネクタケーブル３２を経て、カメラボディ１１内のシステム制御回路４５と通信が行われるようになっている。
【００４０】
このような構成のカメラに於いて、データ出力回路５３よりカメラボディ１１内のシステム制御回路４５に、交換レンズ（Ａ）１２ａが装着されたことが通信される。そして、図示されない被写体からの光束が、交換レンズ（Ａ）１２ａ内の撮影レンズ５１及び絞り５２を介し、更にシャッタ４１を経て撮像素子４２に取り込まれて光電変換される。ここで変換された画像信号のデータは、信号処理回路４３で所定の処理が施された後、システム制御回路４５を介して記録媒体４９に記憶される。また、上記信号処理回路４３で画像処理が行われた画像データに対応する画像は、液晶モニタ４８に表示可能である。
【００４１】
また、フラッシュ装置３６を使用する場合は、絞り５１及びシャッタ４１が制御されると共に、システム制御回路４５からコネクタケーブル３２を介して発光制御回路３８に発光タイミング等の制御信号が送信される。これにより、キセノン管３７が発光されて所望のフラッシュ撮影が可能となる。
【００４２】
図３（ｂ）は、図３（ａ）に示されるような交換レンズ（Ａ）が装着されたカメラ及びフラッシュ装置に防水用のハウジングが装着された状態を示した概略構成図である。
【００４３】
上述したように、カメラボディ１１には本体用のカメラ防水ハウジング２２ａ及び蓋用のカメラ防水ハウジング２２ｂが、交換レンズ（Ａ）１２ａにはレンズ防水ハウジングＡ（以下、レンズ防水ハウジング（Ａ）と記す）３０ａが、そしてフラッシュ装置３６にはフラッシュ防水ハウジング３５が、それぞれ装着可能である。
【００４４】
これらの防水ハウジング２２ａ、２２ｂ、３０ａ、３５がカメラボディ１１、交換レンズ１２ａ、フラッシュ装置３６にそれぞれ装着された状態に於いて、カメラ防水ハウジング２２ｂによって、収納検知部材１７が押し込まれる。つまり、この収納検知部材１７が押されると、収納検知回路４７がカメラボディ１１にカメラ防水ハウジング２２（２２ｂ）が装着されたことを検知する。
【００４５】
また、フラッシュ防水ハウジング３５は、コネクタケーブル３６が接続されると該防水ハウジングを使用すると検知される。
【００４６】
ところで、本実施形態に於けるカメラは一眼レフカメラを用いているので、交換レンズは、その用途によって適宜交換が可能である。本実施形態では、これらの交換レンズとして、例えばワイドレンズ（広角レンズ）と、ワイドレンズよりも更に画角の広いフィッシュアイレンズ（魚眼レンズ）を用いるものとする。尚、この場合、水中にて１６５度以上の画角を有するものをフィッシュアイレンズと称するものとする。
【００４７】
図４（ａ）は交換レンズにワイドレンズが用いられた場合の交換レンズＢ（以下、交換レンズ（Ｂ）と記す）が装着されたカメラ及びフラッシュ装置に防水用のハウジングが装着された状態を示した概略構成図、図４（ｂ）は交換レンズにフィッシュアイレンズが用いられた場合の交換レンズＣ（以下、交換レンズ（Ｃ）と記す）が装着されたカメラ及びフラッシュ装置に防水用のハウジングが装着された状態を示した概略構成図である。
【００４８】
尚、図４（ａ）及び（ｂ）に於いて図３（ｂ）と異なるのは、交換レンズ及びレンズ防水ハウジングの部分だけであり、その他の部分の構成は図３（ｂ）と同一であるので、同一の参照番号を付してその説明は省略する。
【００４９】
図４（ａ）に於いて、交換レンズ（Ｂ）１２ｂはワイドレンズであり、複数の撮影レンズ５６を有して成る。そして、この交換レンズ（Ｂ）１２ｂは、更に、絞り５７と、データ出力回路５８とを有している。このデータ出力回路５８は、この交換レンズ（Ｂ）１２ｂのレンズ特性データ等をシステム制御回路４５に出力するためのものである。また、交換レンズ（Ｂ）１２ｂには、該交換レンズ（Ｂ）１２ｂ専用のレンズ防水ハウジングＢ（以下、レンズ防水ハウジング（Ｂ）と記す）３０ｂが装着可能である。
【００５０】
同様に、図４（ｂ）に於いて、交換レンズ（Ｃ）１２ｃはフィッシュアイレンズであり、複数の撮影レンズ６１を有して成る。そして、この交換レンズ（Ｃ）１２ｃは、更に、絞り６２と、データ出力回路６３とを有している。このデータ出力回路６３は、この交換レンズ（Ｃ）１２ｃのレンズ特性データ等をシステム制御回路４５に出力するためのものである。また、交換レンズ（Ｃ）１２ｃには、該交換レンズ（Ｃ）１２ｃ専用のレンズ防水ハウジングＣ（以下、レンズ防水ハウジング（Ｃ）と記す）３０ｃが装着可能である。
【００５１】
次に、図５のフローチャートを参照して、第１の実施形態に於けるカメラの基本的な動作について説明する。
【００５２】
電源スイッチ１５がオンされると、先ずステップＳ１に於いて、モードダイヤル１４がＳＣＥＮＥモードに設定されているか否かが判定される。ここで、ＳＣＥＮＥモードが設定されていない場合はステップＳ２へ移行し、ＳＣＥＮＥモードが設定されている場合はステップＳ３へ移行する。
【００５３】
ステップＳ２では、モードダイヤル１４がＡＵＴＯモードに設定されているか否かが判定される。ここで、ＡＵＴＯモードが設定されている場合はステップＳ４へ移行し、そうでない場合はステップＳ５へ移行する。
【００５４】
ステップＳ３では、サブルーチン“ＳＣＥＮＥモード”が実行される。このＳＣＥＮＥモードとは、例えばポートレードモード、スポーツモード、風景モード、水中マクロモード等の各種の撮影シーンに適した露出が行われるモードである。このサブルーチン“ＳＣＥＮＥモード”の詳細な動作については後述する。
【００５５】
また、ステップＳ４では、サブルーチン“ＡＵＴＯモード”のサブルーチンが実行される。このＡＵＴＯモードは、例えばカメラ側で適切な露出を判断して設定する周知の自動露出モードである。
【００５６】
ステップＳ５では、サブルーチン“再生”が実行される。この再生モードは、このカメラ１０で撮影された画像を液晶モニタ１８で確認するためのモードである。
【００５７】
尚、ステップＳ４のサブルーチン“ＡＵＴＯモード”と、ステップＳ５のサブルーチン“再生”の動作については、本発明の特徴部分ではなく、また周知の動作であるのでここでは説明を省略する。
【００５８】
その後、ステップＳ６にて、電源スイッチ１５がオフにされたか否かが判定される。ここで、パワーオフでなければ上記ステップＳ１へ移行して、以降の処理が繰り返される。一方、パワーオフであれば、図示されないバッテリからカメラ内の各電子回路への電源供給がオフにされて待機状態に入る。そして、再び電源スイッチ１５がオンされると待機状態を抜けて本ルーチンが繰り返される。
【００５９】
図６は、上述した図５のフローチャートのステップＳ３に於けるサブルーチン“ＳＣＥＮＥモード”の詳細な動作を説明するフローチャートである。
【００６０】
本サブルーチンに入ると、先ずステップＳ１１に於いて、収納検知部材１７によってカメラ防水ハウジング２２が検出されたか否かが判定される。ここで、カメラ防水ハウジング２２が検出されなければステップＳ１２へ移行し、検出されたならばステップＳ１３へ移行する。
【００６１】
ステップＳ１２では、水中撮影のモードを含まない撮影であるサブルーチン“ＳＣＥＮＥ設定１”が実行される。一方、ステップＳ１３では、水中撮影のモードを含む撮影であるサブルーチン“ＳＣＥＮＥ設定２”が実行される。尚、上記ステップＳ１２のサブルーチン“ＳＣＥＮＥ設定１”及びステップＳ１３のサブルーチン“ＳＣＥＮＥ設定２”の詳細な動作については後述する。
【００６２】
上記ステップＳ１２またはＳ１３にて、何れかのシーンモードが設定されたならば、ステップＳ１４に於いてレリーズ釦１３が押されたか否かが判定される。ここで、レリーズ釦１３が押されたならば、ステップＳ１５に移行して、サブルーチン“撮影”が実行される。尚、このサブルーチン“撮影”の動作は周知のものであるのでここでは説明を省略する。
【００６３】
一方、上記ステップＳ１４にてレリーズ釦１３が押されていない場合、及びステップＳ１５にて撮影動作が行われた後は、ステップＳ１６にて変更操作が行われたか否かが判定される。ここで、変更操作とは、モードダイヤル１４の切り替え、或いはシーンの設定の切り替えである。ステップＳ１６にて、変更操作が行われない場合は上記ステップＳ１４へ移行して移行の処理動作が繰り返される。一方、上記ステップＳ１６にて変更操作がなされた場合は、本サブルーチンを抜けて図５のフローチャートのステップＳ６へ移行する。
【００６４】
次に、図７のフローチャートを参照して、図６のフローチャートのステップＳ１２に於けるサブルーチン“ＳＣＥＮＥ設定１”の動作について説明する。
【００６５】
本サブルーチンに入ると、先ず、ステップＳ２１にて１つ目のシーンモードであるポートレートモードが選択可能状態とされる。次いで、ステップＳ２２に於いて、ＯＫ釦１６ａがオンされたか否かが判定される。ここで、ＯＫ釦１６ａが押されたならば、ステップＳ２３へ移行して、ポートレートモードが確定して、該ポートレートモードに応じた撮影条件が設定される。この撮影条件とは、プログラム線図、ＩＳＯ感度、ＡＦモード、ＡＥモード、ホワイトバランス等が、選択されたシーンモードに適した値に設定されることを意味している。この後、本サブルーチンを抜けて、図６のフローチャートのステップＳ１４へ移行する。
【００６６】
一方、上記ステップＳ２２にてＯＫ釦１６ａがオンされない場合は、ステップＳ２４に移行して十字キーの状態が判定される。ここで、十字キーがアップ（ＵＰ）、すなわち十字キー１６ｂが押された場合は、後述するステップＳ３７の夜景モードに移行する。また、ステップＳ２２にて十字キーがダウン（ＤＯＷＮ）、すなわち十字キー１６ｃが押された場合は、ステップＳ２５へ移行する。
【００６７】
ステップＳ２５では、２つ目のシーンモードであるスポーツモードが選択可能状態になる。次いで、ステップＳ２６に於いて、ＯＫ釦１６ａがオンされたか否かが判定される。ここで、ＯＫ釦１６ａが押されたならば、ステップＳ２７へ移行して、スポーツモードが確定して、該スポーツモードに応じた撮影条件が設定される。その後、本サブルーチンを抜けて、図６のフローチャートのステップＳ１４へ移行する。
【００６８】
一方、上記ステップＳ２６にてＯＫ釦１６ａがオンされない場合は、ステップＳ２８に移行して十字キーの状態が判定される。ここで、十字キーがアップ（ＵＰ）、すなわち十字キー１６ｂが押された場合は、上記ステップＳ２１のポートレートモードに移行する。また、ステップＳ２８にて十字キーがダウン（ＤＯＷＮ）、すなわち十字キー１６ｃが押された場合は、ステップＳ２９へ移行する。
【００６９】
ステップＳ２９では、３つ目のシーンモードである記念撮影モードが選択可能状態になる。次いで、ステップＳ３０に於いて、ＯＫ釦１６ａがオンされたか否かが判定される。ここで、ＯＫ釦１６ａが押されたならば、ステップＳ３１へ移行して、記念撮影モードが確定して、該記念撮影モードに応じた撮影条件が設定される。その後、本サブルーチンを抜けて、図６のフローチャートのステップＳ１４へ移行する。
【００７０】
一方、上記ステップＳ３０にてＯＫ釦１６ａがオンされない場合は、ステップＳ３２に移行して十字キーの状態が判定される。ここで、十字キーがアップ（ＵＰ）、すなわち十字キー１６ｂが押された場合は、上記ステップＳ２５のスポーツモードに移行する。また、ステップＳ３２にて十字キーがダウン（ＤＯＷＮ）、すなわち十字キー１６ｃが押された場合は、ステップＳ３３へ移行する。
【００７１】
ステップＳ３３では、４つ目のシーンモードである風景モードが選択可能状態になる。次いで、ステップＳ３４に於いて、ＯＫ釦１６ａがオンされたか否かが判定される。ここで、ＯＫ釦１６ａが押されたならば、ステップＳ３５へ移行して、風景モードが確定して、該風景モードに応じた撮影条件が設定される。その後、本サブルーチンを抜けて、図６のフローチャートのステップＳ１４へ移行する。
【００７２】
一方、上記ステップＳ３４にてＯＫ釦１６ａがオンされない場合は、ステップＳ３６に移行して十字キーの状態が判定される。ここで、十字キーがアップ（ＵＰ）、すなわち十字キー１６ｂが押された場合は、上記ステップＳ２９の記念撮影モードに移行する。また、ステップＳ３６にて十字キーがダウン（ＤＯＷＮ）、すなわち十字キー１６ｃが押された場合は、ステップＳ３７へ移行する。
【００７３】
ステップＳ３７では、５つ目のシーンモードである夜景モードが選択可能状態とされる。次いで、ステップＳ３８に於いて、ＯＫ釦１６ａがオンされたか否かが判定される。ここで、ＯＫ釦１６ａが押されたならば、ステップＳ３９へ移行して、夜景モードが確定して、該夜景モードに応じた撮影条件が設定される。その後、本サブルーチンを抜けて、図６のフローチャートのステップＳ１４へ移行する。
【００７４】
一方、上記ステップＳ３８にてＯＫ釦１６ａがオンされない場合は、ステップＳ４０に移行して十字キーの状態が判定される。ここで、十字キーがアップ（ＵＰ）、すなわち十字キー１６ｂが押された場合は、上記ステップＳ３３の風景モードに移行する。また、ステップＳ４０にて十字キーがダウン（ＤＯＷＮ）、すなわち十字キー１６ｃが押された場合は、上記ステップＳ２１のポートレートモードに移行する。
【００７５】
次に、図８及び図９のフローチャートを参照して、図６のフローチャートのステップＳ１３に於けるサブルーチン“ＳＣＥＮＥ設定２”の動作について説明する。
【００７６】
尚、“ＳＣＥＮＥ設定２”の動作は、カメラ１０にカメラ防水ハウジング２２が装着された場合のみ実行されるので、撮影者はＯＫ釦２６ａ、十字釦２６ｂ〜２６ｅを介して、カメラ１０のＯＫ釦１６ａ、十字キー１６ｂ〜１６ｅを操作することになる。
【００７７】
本サブルーチンに入ると、先ず、ステップＳ５１にて、カメラボディ１１に装着されている交換レンズのレンズデータが、システム制御回路４５に読み込まれる。次いで、ステップＳ５２にて、読み込まれたレンズデータに従って、カメラボディ１１に装着された交換レンズの種類が判別される。
【００７８】
そして、ステップＳ５３に於いて、カメラボディ１１に装着された交換レンズがワイドレンズであるか否かが判定される。ここで、交換レンズがワイドレンズでない場合、すなわち標準レンズである場合は交換レンズ（Ａ）１２ａが装着されていることになる。したがって、ステップＳ５４へ移行して、水中撮影モードである水中マクロモードが選択可能な状態になる。
【００７９】
次いで、ステップＳ５５に於いて、ＯＫ釦２６ａがオンされたか否かが判定される。ここで、ＯＫ釦２６ａが押されたならば、ステップＳ５６へ移行して、水中マクロモードが確定して、該水中マクロモードに応じた撮影条件が設定される。この水中マクロモードに応じた撮影条件とは、例えば、下記表１に表されるように、露出補正は行わずにフラッシュ装置３６を強制発光させるというものである。その後、本サブルーチンを抜けて、図６のフローチャートのステップＳ１４へ移行する。
【表１】
2006243659.tif 000003
【００８０】
一方、上記ステップＳ５５にてＯＫ釦２６ａがオンされない場合は、ステップＳ５７に移行して十字釦の状態が判定される。ここで、十字釦がアップ（ＵＰ）、すなわち十字釦２６ｂが押された場合は、後述するステップＳ８３の夜景モードに移行する。また、ステップＳ５７にて十字釦がダウン（ＤＯＷＮ）、すなわち十字釦２６ｃが押された場合は、後述するステップＳ６７のポートレートモードに移行する。
【００８１】
上記ステップＳ５３に於いて、ワイドレンズが装着されていると判定された場合は、次にステップＳ５８に於いて、超ワイドレンズがカメラボディ１１に装着されているか否かが判定される。ここで、交換レンズが超ワイドレンズでない場合、すなわちワイドレンズである場合は交換レンズ（Ｂ）１２ｂが装着されていることになる。したがって、ステップＳ５９へ移行して、水中ワイドモードが選択可能な状態になる。
【００８２】
ステップＳ５９では、水中撮影モードである水中ワイドモードが選択可能な状態になる。次いで、ステップＳ６０に於いて、ＯＫ釦２６ａがオンされたか否かが判定される。ここで、ＯＫ釦２６ａが押されたならば、ステップＳ６１へ移行して、水中ワイドモードが確定して、該水中ワイドモードに応じた撮影条件が設定される。この水中ワイドモードに応じた撮影条件とは、例えば、上記表１に表されるように、１ＥＶ分だけアンダーに露出補正を行ってフラッシュ装置３６を強制発光させるというものである。その後、本サブルーチンを抜けて、図６のフローチャートのステップＳ１４へ移行する。
【００８３】
一方、上記ステップＳ６０にてＯＫ釦２６ａがオンされない場合は、ステップＳ６２に移行して十字釦の状態が判定される。ここで、十字釦がアップ（ＵＰ）、すなわち十字釦２６ｂが押された場合は、後述するステップＳ８３の夜景モードに移行する。また、ステップＳ６２にて十字釦がダウン（ＤＯＷＮ）、すなわち十字釦２６ｃが押された場合は、後述するステップＳ６７へ移行する。
【００８４】
更に、上記ステップＳ５８に於いて、交換レンズが超ワイドレンズである場合、すなわちフィッシュアイレンズである場合は交換レンズ（Ｃ）１２ｃが装着されていることになる。したがって、ステップＳ６３へ移行して、フィッシュアイモードが選択可能な状態になる。
【００８５】
次いで、ステップＳ６４に於いて、ＯＫ釦２６ａがオンされたか否かが判定される。ここで、ＯＫ釦２６ａが押されたならば、ステップＳ６５へ移行して、フィッシュアイモードが確定して、該フィッシュアイモードに応じた撮影条件が設定される。このフィッシュアイモードに応じた撮影条件とは、例えば、上記表１に表されるように、２ＥＶ分だけアンダーに露出補正を行ってフラッシュ装置３６を強制発光させるというものである。その後、本サブルーチンを抜けて、図６のフローチャートのステップＳ１４へ移行する。
【００８６】
一方、上記ステップＳ６４にてＯＫ釦２６ａがオンされない場合は、ステップＳ６６に移行して十字釦の状態が判定される。ここで、十字釦がアップ（ＵＰ）、すなわち十字釦２６ｂが押された場合は、後述するステップＳ８３の夜景モードに移行する。また、ステップＳ６２にて十字釦がダウン（ＤＯＷＮ）、すなわち十字釦２６ｃが押された場合は、ステップＳ６７へ移行する。
【００８７】
ステップＳ６７では、２つ目のシーンモードであるポートレートモードが選択可能状態とされる。次いで、ステップＳ６８に於いて、ＯＫ釦２６ａがオンされたか否かが判定される。ここで、ＯＫ釦２６ａが押されたならば、ステップＳ６９へ移行して、ポートレートモードが確定して、該ポートレートモードに応じた撮影条件が設定される。この後、本サブルーチンを抜けて、図６のフローチャートのステップＳ１４へ移行する。
【００８８】
一方、上記ステップＳ６８にてＯＫ釦２６ａがオンされない場合は、ステップＳ７０に移行して十字釦の状態が判定される。ここで、十字釦がアップ（ＵＰ）、すなわち十字釦２６ｂが押された場合は、上記ステップＳ５４の水中マクロモードに移行する。また、ステップＳ７０にて十字釦がダウン（ＤＯＷＮ）、すなわち十字釦２６ｃが押された場合は、ステップＳ７１へ移行する。
【００８９】
ステップＳ７１では、３つ目のシーンモードであるスポーツモードが選択可能な状態になる。次いで、ステップＳ７２に於いて、ＯＫ釦２６ａがオンされたか否かが判定される。ここで、ＯＫ釦２６ａが押されたならば、ステップＳ７３へ移行して、スポーツモードが確定して、該スポーツモードに応じた撮影条件が設定される。その後、本サブルーチンを抜けて、図６のフローチャートのステップＳ１４へ移行する。
【００９０】
一方、上記ステップＳ７２にてＯＫ釦２６ａがオンされない場合は、ステップＳ７４に移行して十字釦の状態が判定される。ここで、十字釦がアップ（ＵＰ）、すなわち十字釦２６ｂが押された場合は、上記ステップＳ６７のポートレートモードに移行する。また、ステップＳ７４にて十字釦がダウン（ＤＯＷＮ）、すなわち十字釦２６ｃが押された場合は、ステップＳ７５へ移行する。
【００９１】
ステップＳ７５では、４つ目のシーンモードである記念撮影モードが選択可能な状態になる。次いで、ステップＳ７６に於いて、ＯＫ釦２６ａがオンされたか否かが判定される。ここで、ＯＫ釦２６ａが押されたならば、ステップＳ７７へ移行して、記念撮影モードが確定して、該記念撮影モードに応じた撮影条件が設定される。その後、本サブルーチンを抜けて、図６のフローチャートのステップＳ１４へ移行する。
【００９２】
一方、上記ステップＳ７６にてＯＫ釦２６ａがオンされない場合は、ステップＳ７８に移行して十字釦の状態が判定される。ここで、十字釦がアップ（ＵＰ）、すなわち十字釦２６ｂが押された場合は、上記ステップＳ７１のスポーツモードに移行する。また、ステップＳ７８にて十字釦がダウン（ＤＯＷＮ）、すなわち十字釦２６ｃが押された場合は、ステップＳ７９へ移行する。
【００９３】
ステップＳ７９では、５つ目のシーンモードである風景モードが選択可能な状態になる。次いで、ステップＳ８０に於いて、ＯＫ釦２６ａがオンされたか否かが判定される。ここで、ＯＫ釦２６ａが押されたならば、ステップＳ８１へ移行して、風景モードが確定して、該風景モードに応じた撮影条件が設定される。その後、本サブルーチンを抜けて、図６のフローチャートのステップＳ１４へ移行する。
【００９４】
一方、上記ステップＳ８０にてＯＫ釦２６ａがオンされない場合は、ステップＳ８２に移行して十字釦の状態が判定される。ここで、十字釦がアップ（ＵＰ）、すなわち十字釦２６ｂが押された場合は、上記ステップＳ７５の記念撮影モードに移行する。また、ステップＳ８２にて十字釦がダウン（ＤＯＷＮ）、すなわち十字釦２６ｃが押された場合は、ステップＳ８３へ移行する。
【００９５】
ステップＳ８３では、６つ目のシーンモードである夜景モードが選択可能な状態になる。次いで、ステップＳ８４に於いて、ＯＫ釦２６ａがオンされたか否かが判定される。ここで、ＯＫ釦２６ａが押されたならば、ステップＳ８５へ移行して、夜景モードが確定して、該夜景モードに応じた撮影条件が設定される。その後、本サブルーチンを抜けて、図６のフローチャートのステップＳ１４へ移行する。
【００９６】
一方、上記ステップＳ８４にてＯＫ釦２６ａがオンされない場合は、ステップＳ８６に移行して十字釦の状態が判定される。ここで、十字釦がアップ（ＵＰ）、すなわち十字釦２６ｂが押された場合は、上記ステップＳ７９の風景モードに移行する。また、ステップＳ７０にて十字釦がダウン（ＤＯＷＮ）、すなわち十字釦２６ｃが押された場合は、上記ステップＳ５３へ移行する。
【００９７】
尚、ここでは、交換レンズは、標準レンズである交換レンズ（Ａ）１２ａ、ワイドレンズである交換レンズ（Ｂ）１２ｂ、フィッシュアイレンズである交換レンズ（Ｃ）１２ｃの３種類としたが、これに限られるものではない。
【００９８】
このように、第１の実施形態によれば、シーンモードを水中撮影の有る場合と無い場合とに区別して設定することができるようにし、且つ、交換レンズの種類に応じて水中撮影モードを選択することができる。
【００９９】
また、上述した第１の実施形態では、ハウジングの装着の有無の検出を、カメラボディ１１の背面部に設けられた収納検知部材１７により行っていたが、これに限られるものではない。
【０１００】
（第２の実施形態）
上述した第１の実施形態では、水中マクロモード、水中ワイドモード、フィッシュアイモードの判別を、カメラボディ１１に装着された交換レンズの種類を判別することにより行っていたが、第２の実施形態ではカメラボディ１１に装着された交換レンズの焦点距離と最短撮影距離を判別することにより行うようにしている。
【０１０１】
以下、図１０及び図９のフローチャートを参照して、本発明の第２の実施形態について説明する。
【０１０２】
図１０及び図９は、本発明の第２の実施形態であって、図６のフローチャートのステップＳ１３に於けるサブルーチン“ＳＣＥＮＥ設定２”の動作について説明するフローチャートである。但し、本フローチャートに於いて、ステップＳ５１、Ｓ５４〜Ｓ５７、Ｓ６０〜Ｓ８６は、上述した第１の実施形態の図８及び図９のフローチャートと同じであるので、同一のステップ番号を付してその動作の説明は省略する。
【０１０３】
尚、“ＳＣＥＮＥ設定１”のサブルーチンについては、図７に示される上述した第１の実施形態のフローチャートと同じであるので説明は省略する。
【０１０４】
また、この第２の実施形態に於いては、撮影装置としてのカメラ及びハウジングの構成及び基本的な動作については、図１乃至図９に示される第１の実施形態と同じであるので、これらの構成及び動作については、同一の部分には同一の参照番号を付して、その図示及び説明は省略するものとし、異なる動作についてのみ説明する。
【０１０５】
本サブルーチンに入り、ステップＳ５１でレンズデータが読み込まれると、続くステップＳ９１にて、カメラボディ１１に装着された交換レンズの焦点距離が判別される。そして、ステップＳ９２に於いて、交換レンズの焦点距離が２８ｍｍ未満であるか否かが判定される。
【０１０６】
ここで、焦点距離が２８ｍｍ以上であれば、ステップＳ９３に移行して、装着された交換レンズがマクロレンズであるか否かが判定される。その結果、マクロレンズが装着されていると判定された場合は、ステップＳ５４へ移行して、水中撮影モードである水中マクロモードが選択可能な状態になる。一方、上記ステップＳ９３にて、装着された交換レンズがマクロレンズではないと判定された場合は、ステップＳ９４へ移行する。
【０１０７】
ステップＳ９４では、カメラボディ１１に装着されている交換レンズの最短撮影距離が判別される。そして、ステップＳ９５に於いて、交換レンズの最短撮影距離が２０ｃｍ未満であるか否かが判定される。
【０１０８】
このステップＳ９５にて、最短撮影距離が２０ｃｍ未満であれば、ステップＳ５４へ移行して、水中撮影モードである水中マクロモードが選択可能な状態になる。一方、最短撮影距離が２０ｃｍ以上であれば、ステップＳ５９へ移行して、水中ワイドモードが選択可能な状態になる。
【０１０９】
上記ステップＳ９２に於いて、交換レンズの焦点距離が２８ｍｍ未満であれば、次にステップＳ９６に於いて、交換レンズの焦点距離が１６ｍｍ未満であるか否かが判定される。その結果、１６ｍｍ以上である、すなわち交換レンズの焦点距離が１６ｍｍ以上２８ｍｍ未満であれば、ステップＳ５９に移行して水中ワイドモードが選択可能な状態になる。一方、交換レンズの焦点距離が１６ｍｍ未満であれば、ステップＳ６３に移行してフィッシュアイモードが選択可能な状態になる。
【０１１０】
このように、第２の実施形態によれば、シーンモードを水中撮影の有る場合と無い場合とに区別して設定することができるようにし、且つ、交換レンズの焦点距離と最短撮影距離に応じて水中撮影モードを選択することができる。
【０１１１】
尚、本実施の形態では交換レンズを判別するための焦点距離を２８ｍｍと１６ｍｍに設定したが、これに限られるものではない。
【０１１２】
（第３の実施形態）
上述した第２の実施形態では、水中マクロモード、水中ワイドモード、フィッシュアイモードの判別を、カメラボディ１１に装着された交換レンズの焦点距離と最短撮影距離により行っていたが、この第３の実施形態では、交換レンズの焦点距離と撮影倍率を判別することにより行うようにしている。
【０１１３】
以下、図１１及び図９のフローチャートを参照して、本発明の第３の実施形態について説明する。
【０１１４】
図１１及び図９は、本発明の第３の実施形態であって、図６のフローチャートのステップＳ１３に於けるサブルーチン“ＳＣＥＮＥ設定２”の動作について説明するフローチャートである。但し、本フローチャートに於いて、ステップＳ５１、Ｓ５４〜Ｓ５７、Ｓ６０〜Ｓ８６は、上述した第１の実施形態の図８及び図９のフローチャートと同じであり、ステップＳ９１〜Ｓ９３及びＳ９６は、上述した第２の実施形態の図１０のフローチャートと同じであるので、同一のステップ番号を付してその動作の説明は省略する。
【０１１５】
尚、“ＳＣＥＮＥ設定１”のサブルーチンについては、図７に示される上述した第１の実施形態のフローチャートと同じであるので説明は省略する。
【０１１６】
また、この第３の実施形態に於いては、撮影装置としてのカメラ及びハウジングの構成及び基本的な動作については、図１乃至図９に示される第１の実施形態と同じであるので、これらの構成及び動作については、同一の部分には同一の参照番号を付して、その図示及び説明は省略するものとし、異なる動作についてのみ説明する。
【０１１７】
本サブルーチンに入り、ステップＳ５１でレンズデータが読み込まれ、続くステップＳ９１にてカメラボディ１１に装着された交換レンズの焦点距離が判別される。そして、ステップＳ９２に於いて、交換レンズの焦点距離が２８ｍｍ未満であるか否かが判定される。
【０１１８】
ここで、焦点距離が２８ｍｍ以上であれば、ステップＳ９３に移行して、装着された交換レンズがマクロレンズであるか否かが判定される。その結果、装着された交換レンズがマクロレンズではないと判定された場合は、ステップＳ１０１へ移行して上記交換レンズの撮影倍率が判別される。
【０１１９】
そして、ステップＳ１０２に於いて、交換レンズの撮影倍率が所定の倍率Ａと比較される。ここで、撮影倍率がＡより大きければ、ステップＳ５４へ移行して、水中撮影モードである水中マクロモードが選択可能な状態になる。一方、上記ステップＳ１０２にて撮影倍率がＡ以下であれば、ステップＳ５９へ移行して、水中ワイドモードが選択可能な状態になる。
【０１２０】
また、各十字釦（十字キー）判別のステップで、アップ、ダウンの何れも押されていなければ、すぐ上のＯＫ釦ＯＮの判別に戻る（図示せず）。
【０１２１】
このように、第３の実施形態によれば、シーンモードを水中撮影の有る場合と無い場合とに区別して設定することができるようにし、且つ、交換レンズの焦点距離と撮影倍率に応じて水中撮影モードを選択することができる。
【０１２２】
尚、上述した実施形態に於いては、水中撮影のモードは水中マクロモード、水中ワイドモード及びフィッシュアイモードを例として説明したが、これに限られるものではなく、水中撮影用であれば他のモード、例えば水中ポートレートモード等を含んでも良いのは勿論である。
【０１２３】
また、上述した実施形態では、撮影装置に撮像素子を有するカメラとした例で説明したが、これに限られるものではなく、フィルムを使用したカメラにも適用可能である。
【０１２４】
以上、本発明の実施形態について説明したが、本発明は上述した実施形態に限定されるものではなく、本発明の要旨を逸脱しない範囲で種々の変形実施が可能であるのは勿論である。
【図面の簡単な説明】
【０１２５】
【図１】本発明の第１の実施形態による撮影装置としての一眼レフカメラの外観構成を示すもので、（ａ）は上面図、（ｂ）は正面図、（ｃ）は背面図である。
【図２】図１の構成のカメラ１０に装着される水中撮影用のカメラ防水ハウジング２２及びフラッシュ防水ハウジング３５の構成を示す外観斜視図である。
【図３】（ａ）は本実施形態で水中撮影用のハウジングが装着されるカメラ交換レンズ及びフラッシュ装置の構成を概略的に示すブロック図、（ｂ）は（ａ）に示されるような交換レンズＡが装着されたカメラ及びフラッシュ装置に防水用のハウジングが装着された状態を示した概略構成図である。
【図４】（ａ）は交換レンズにワイドレンズが用いられた場合の交換レンズＢが装着されたカメラ及びフラッシュ装置に防水用のハウジングが装着された状態を示した概略構成図、（ｂ）は交換レンズにフィッシュアイレンズが用いられた場合の交換レンズＣが装着されたカメラ及びフラッシュ装置に防水用のハウジングが装着された状態を示した概略構成図である。
【図５】本発明の第１の実施形態に於けるカメラの基本的な動作について説明するフローチャートである。
【図６】図５のフローチャートのステップＳ３に於けるサブルーチン“ＳＣＥＮＥモード”の詳細な動作を説明するフローチャートである。
【図７】図６のフローチャートのステップＳ１２に於けるサブルーチン“ＳＣＥＮＥ設定１”の動作について説明するフローチャートである。
【図８】図６のフローチャートのステップＳ１３に於けるサブルーチン“ＳＣＥＮＥ設定２”の動作について説明するフローチャートである。
【図９】図６のフローチャートのステップＳ１３に於けるサブルーチン“ＳＣＥＮＥ設定２”の動作について説明するフローチャートである。
【図１０】本発明の第２の実施形態であって、図６のフローチャートのステップＳ１３に於けるサブルーチン“ＳＣＥＮＥ設定２”の動作について説明するフローチャートである。
【図１１】本発明の第３の実施形態であって、図６のフローチャートのステップＳ１３に於けるサブルーチン“ＳＣＥＮＥ設定２”の動作について説明するフローチャートである。
【符号の説明】
【０１２６】
１０…カメラ、１１…カメラボディ、１２…撮影レンズ（交換レンズ）、１３…レリーズ釦、１４…モードダイヤル、１５…電源スイッチ、１６…操作部、１６ａ…ＯＫ釦、１６ｂ、１６ｃ、１６ｄ、１６ｅ…十字キー、１７…収納検知部材、１８…液晶（ＴＦＴ）モニタ、１９…フラッシュ接続部、２２…カメラ防水ハウジング、２２ａ…カメラ防水ハウジング（本体）、２２ｂ…カメラ防水ハウジング（蓋）、２４…シャッタ釦操作スイッチ、２５…モードダイヤル操作ノブ、２６…操作部、２６ａ…ＯＫ釦、２６ｂ、２６ｃ、２６ｄ、２６ｅ…十字釦、２８…窓部、３０…レンズ防水ハウジング、３２…コネクタケーブル、３５…フラッシュ防水ハウジング、３６…フラッシュ装置、３７…閃光発光管（キセノン管）、３８…発光制御回路、４１…シャッタ、４２…撮像素子、４３…信号処理回路、４５…システム制御回路、４６…手動操作部材、４７…収納検知回路、４８…液晶（ＴＦＴ）モニタ、４９…記録媒体、５１…撮影レンズ、５２…絞り、５３データ出力回路。
【図１】
2006243659.tif 000004
【図２】
2006243659.tif 000005
【図３】
2006243659.tif 000006
【図４】
2006243659.tif 000007
【図５】
2006243659.tif 000008
【図６】
2006243659.tif 000009
【図７】
2006243659.tif 000010
【図８】
2006243659.tif 000011
【図９】
2006243659.tif 000012
【図１０】
2006243659.tif 000013
【図１１】
2006243659.tif 000014